(57)【要約】【課題】外壁パネルの目地位置とは関係なくタイルを割り付けることができ、タイルの面外方向への固定も機械的に行うことができ、信頼性が高く、施工性に優れたタイル取付け構造を提供する。【解決手段】コンクリート系パネル１の外面に、タイル２の上部係合用溝３ａと係合する上向き係合片7と、タイル裏面に圧接するクッション材８の保持部９と、第二部材取付け部１１とを備え、パネルに対する取付け用孔１２が形成された第一部材５と、タイルの表面側上端部と係合する下向き係合片１３と、上段のタイルの下部係合用溝３ｂと係合する上向き係合片１４とを備え、前記第一部材の第二部材取付け部にビス止め可能に構成された第二部材６とから成る横長支持部材４を、取付けボルト１６により、タイルの上下幅に対応する間隔を隔てて、且つ、取付けボルトの軸芯周りで回転可能な状態に取り付け、各段のタイルを上下の横長支持部材で支持させる。【選択図】図２
2009097209.tif 000002
【特許請求の範囲】
【請求項１】
タイルをその裏面側に下向きに開口した上部係合用溝と下部係合用溝とが形成された断面形状とする一方、コンクリート系パネルの外面には、タイルの上部係合用溝と横方向スライド自在に係合する上向き係合片と、タイルの裏面に圧接するクッション材の保持部と、第二部材取付け部とを備え、且つ、コンクリート系パネルに対する取付け用孔が長手方向に間隔を隔てて複数個形成された第一部材と、タイルの表面側上端部と横方向スライド自在に係合する下向き係合片と、上段のタイルの下部係合用溝と横方向スライド自在に係合する上向き係合片とを備え、且つ、前記第一部材の第二部材取付け部にビス止め可能に構成された第二部材とから成る複数本の横長支持部材を、前記取付け用孔に挿入した取付けボルトにより、タイルの上下幅に対応する間隔を隔てて、且つ、取付けボルトの軸芯周りで回転可能な状態に取り付け、各段のタイルを上下の横長支持部材で支持させてあることを特徴とするコンクリート系パネルに対するタイル取付け構造。
【請求項２】
タイルをその裏面側に下向きに開口した上部係合用溝と下部係合用溝とが形成された断面形状とする一方、コンクリート系パネルの外面には、コンクリート系パネルに対する取付け用孔と止め具挿入孔とが上下方向に間隔を隔てて複数個形成された複数本の縦長支持部材を前記取付け用孔に挿入した取付けボルトにより横方向に間隔を隔てて取り付け、これらの縦長支持部材には、タイルの上部係合用溝と横方向スライド自在に係合する上向き係合片と、タイルの裏面に圧接するクッション材の保持部と、第二部材取付け部とを備え、且つ、縦長支持部材に対する取付け用孔が長手方向に間隔を隔てて複数個形成された第一部材と、タイルの表面側上端部と横方向スライド自在に係合する下向き係合片と、上段のタイルの下部係合用溝と横方向スライド自在に係合する上向き係合片とを備え、且つ、前記第一部材の第二部材取付け部にビス止め可能に構成された第二部材とから成る複数本の横長支持部材を、縦長支持部材の止め具挿入孔と第一部材の取付け用孔に挿入された止め具により、タイルの上下幅に対応する間隔を隔てて、且つ、止め具の軸芯周りで回転可能な状態に架設し、各段のタイルを上下の横長支持部材で支持させてあることを特徴とするコンクリート系パネルに対するタイル取付け構造。
【請求項３】
コンクリート系パネルが建物躯体に対して縦張りされている請求項１又は２に記載のコンクリート系パネルに対するタイル取付け構造。
【請求項４】
コンクリート系パネルが建物躯体に対して横張りされている請求項１又は２に記載のコンクリート系パネルに対するタイル取付け構造。
【発明の詳細な説明】
【技術分野】
【０００１】
本発明は、例えば、ＡＬＣ板、押出成形セメント板（ＥＣＰ）、スパンクリート等のコンクリート系パネルにタイルを乾式工法で張り付けたタイル取付け構造に関する。
【背景技術】
【０００２】
外壁のコンクリート系パネルは、風や地震、温度変化に伴う伸縮等により、パネル毎にバラバラに挙動し得るように建物の躯体に取り付けられているので、タイルをコンクリート系パネルにモルタルや接着剤で張り付けるいわゆる湿式工法では、異なるパネルに跨ってタイルを張ると、パネルの挙動によってタイルが剥落することになる。そのため、パネル間の目地位置においては、必ずタイル面にも伸縮目地を設けることが必要とされた。また、モルタルや接着剤で張り付けるタイルの接着強度は、作業環境やその管理に依存することになり、信頼性を確保するためには、タイルの工場張りを採用することが望ましいとされていた。
【０００３】
また、コンクリート系パネルにタイルを乾式工法で張り付けることは、非特許文献１、２や特許文献１〜３等によって既に知られている。これらのうち、非特許文献１、２に記載されている乾式工法は、コンクリート系パネルの表面にタイルの上下幅に対応する凹凸部を加工しておき、これらの凹凸部にタイルを嵌め込んで、モルタルを使わずに固定する工法であるが、タイルの面外方向の固定は、パネルとタイルの間に塗布した接着剤に頼っており、面外方向については機械的に固定されていない。
【０００４】
従って、これらの従来技術は、乾式工法であるとは言え、タイルの面外方向の固定を接着剤に頼っているので、湿式工法と同様に、タイルの接着強度が作業環境やその管理に依存することになり、信頼性の低下が懸念される。また、タイルを嵌め込む凹凸部の加工をパネルに施すため、パネルを跨いでタイルを張ることができず、パネル間の目地とタイルの目地が一致するようにタイルを割り付ける必要がある。
【０００５】
特許文献１には、コンクリート系パネルの表面に施された凹凸部にタイルを嵌め込み、下段のタイルの上端部に対する係合片と上段のタイルの下端部に対する係合片とを備えた金属製止着部材をパネル表面に打ち込んで、タイルを面外方向に機械的に固定する乾式工法が提案されている。
【０００６】
この工法は、タイルの面外方向の固定を接着剤に頼らない点では優れているが、タイル１枚毎に複数個の金属製止着部材が必要とされているので、コンクリート系パネルに対する金属製止着部材の打ち込み作業量が膨大なものとなり、タイルの張り付け作業が非常に面倒である。
【０００７】
特許文献２には、コンクリート系パネルの表面に縦下地材を横方向に並べて取り付け、それらの縦下地材に対して、タイルの上下幅に対応する上下間隔で配置した横胴縁を面内において相対回転可能な状態に取り付け、タイルの裏面側に取り付けた取付金物の上部又は下部の何れか一方を横胴縁に対してビス止めし、他方を横胴縁に対して面内でスライド可能な状態に係合させる乾式工法によるタイル取付け構造が記載されている。
【０００８】
このタイルの取付け構造によれば、風や地震等によってコンクリート系パネルのロッキングが生じた際、パネルと共に縦下地材も鉛直に対して若干の傾斜が生じるが、それに伴い横胴縁が水平を保ちながら変位するので、タイルが面外方向への変位を規制されつつ面内でスライドし、タイルの剥落が防止されることになる。
【０００９】
しかしながら、この従来技術では、全てのタイルの裏面側に取付金物を取り付ける必要があり、タイル裏面に対する取付用孔の加工、取付金物を取付用孔に固定するアンカー部材の製作、アンカー部材によるタイル裏面への取付金物の取付け作業など、外壁パネルに対するタイル張り作業に先立って数多くの面倒な工程が必要である。
【００１０】
特許文献３には、多数の係止穴が上下等間隔に形成された縦長の取付基板を建物躯体の表面にタイルの横幅に対応する間隔を隔てて取り付けておき、タイルの上端と係合する上向き係合片と上段側タイルの下端と係合する下向き係合片を備えたタイル受け片を前記取付基板の係止穴に引っ掛けて、タイルを上下のタイル受け片で横方向スライド自在に支持する乾式工法によるタイル取付け構造が記載されている。
【００１１】
しかしながら、この従来技術においては、タイル受け片を取付基板の係止穴に引っ掛けておくだけでは、タイル受け片やタイルにガタツキが生じるので、ガタツキ防止のためには、特許文献３にも記載されているとおり、タイルと取付基板を弾性接着剤で接着することが必要である。従って、タイルの接着強度が作業環境やその管理に依存することになり、信頼性の低下が懸念される点では、上述した非特許文献１、２の従来例と同様である。
【００１２】
また、タイル受け片を取付基板の係止穴に引っ掛けただけでは、タイル受け片の上下動を阻止できないので、地震時の振動によってタイル受け片が取付基板から外れないようにするためには、タイル受け片を取付基板にビス止めして、タイル受け片の上下動を阻止する必要があり、その結果、膨大な個数のビスとビス止め作業が要求されることになる。
【００１３】
【非特許文献１】アスロックのタイル・ハンギング工法のカタログ                      （http://www.asloc.co.jp/method/method06.html）
【非特許文献２】タイル乾式工法ベルパーチ施工マニュアル２００７〜２００８年                      版（http://www.dds.inax.co.jp/series.php3?seriesid=387の                      外装壁の施工資料ターＭＤ１３７−１１
【特許文献１】特開平５−３２１４３３号公報
【特許文献２】特開２００３−２９３５５１号公報
【特許文献３】特開２００６−３２８８２３号公報
【発明の開示】
【発明が解決しようとする課題】
【００１４】
本発明は、上記の問題点を踏まえてなされたものであって、その目的とするところは、コンクリート系パネルの目地位置とは関係なくタイルを割り付けることができ、タイルの面外方向への固定も機械的に行うことができ、接着剤に頼らないので信頼性が高く、しかも、タイル毎に複数個の金属製止着部材を用いたり、タイル裏面に取付金物を取り付けたりする必要がなく、ビス止め作業も少なくて、施工性に優れたタイル取付け構造を提供することにある。
【課題を解決するための手段】
【００１５】
上記の目的を達成するために本発明が講じた技術的手段は、次のとおりである。即ち、請求項１に記載の発明によるコンクリート系パネルに対するタイル取付け構造は、タイルをその裏面側に下向きに開口した上部係合用溝と下部係合用溝とが形成された断面形状とする一方、コンクリート系パネルの外面には、タイルの上部係合用溝と横方向スライド自在に係合する上向き係合片と、タイルの裏面に圧接するクッション材の保持部と、第二部材取付け部とを備え、且つ、コンクリート系パネルに対する取付け用孔が長手方向に間隔を隔てて複数個形成された第一部材と、タイルの表面側上端部と横方向スライド自在に係合する下向き係合片と、上段のタイルの下部係合用溝と横方向スライド自在に係合する上
向き係合片とを備え、且つ、前記第一部材の第二部材取付け部にビス止め可能に構成された第二部材とから成る複数本の横長支持部材を、前記取付け用孔に挿入した取付けボルトにより、タイルの上下幅に対応する間隔を隔てて、且つ、取付けボルトの軸芯周りで回転可能な状態に取り付け、各段のタイルを上下の横長支持部材で支持させてあることを特徴としている。
【００１６】
請求項２に記載の発明によるコンクリート系パネルに対するタイル取付け構造は、タイルをその裏面側に下向きに開口した上部係合用溝と下部係合用溝とが形成された断面形状とする一方、コンクリート系パネルの外面には、コンクリート系パネルに対する取付け用孔と止め具挿入孔とが上下方向に間隔を隔てて複数個形成された複数本の縦長支持部材を前記取付け用孔に挿入した取付けボルトにより横方向に間隔を隔てて取り付け、これらの縦長支持部材には、タイルの上部係合用溝と横方向スライド自在に係合する上向き係合片と、タイルの裏面に圧接するクッション材の保持部と、第二部材取付け部とを備え、且つ、縦長支持部材に対する取付け用孔が長手方向に間隔を隔てて複数個形成された第一部材と、タイルの表面側上端部と横方向スライド自在に係合する下向き係合片と、上段のタイルの下部係合用溝と横方向スライド自在に係合する上向き係合片とを備え、且つ、前記第一部材の第二部材取付け部にビス止め可能に構成された第二部材とから成る複数本の横長支持部材を、縦長支持部材の止め具挿入孔と第一部材の取付け用孔に挿入された止め具により、タイルの上下幅に対応する間隔を隔てて、且つ、止め具の軸芯周りで回転可能な状態に架設し、各段のタイルを上下の横長支持部材で支持させてあることを特徴としている。
【００１７】
尚、請求項１又は２に記載のコンクリート系パネルに対するタイル取付け構造は、コンクリート系パネルが建物躯体に対して縦張りされている場合（請求項３）と横張りされている場合（請求項４）とを包含している。また、請求項１に記載のコンクリート系パネルに対するタイル取付け構造において、コンクリート系パネルに対する横長支持部材の回転軸芯となる取付けボルトや、請求項２に記載のコンクリート系パネルに対するタイル取付け構造において、縦長支持部材に対する横長支持部材の回転軸芯となる止め具はパネルがロッキングしたときも、横長支持部材が水平を保ち得るように、鉛直線上に並べて配置される。
【発明の効果】
【００１８】
請求項１に記載の発明によれば、例えば、最下段においては、第一部材とそれにビス止めした第二部材とから成る横長支持部材をパネルに取り付けた後、二段目の所定位置に第一部材を取り付け、当該第一部材にクッション材を取り付ける。次に、タイルを前記第二部材と二段目の第一部材との間に嵌め込む（この状態においては、タイルの下部係合用溝が前記第二部材の上向き係合片と係合し、タイルの上部係合用溝が二段目の第一部材の上向き係合片と係合し、且つ、クッション材がタイル裏面を弾性的に押圧しているので、タイルが仮固定されることになる）。しかる後、二段目の第二部材を二段目の第一部材にビス止めして、当該第二部材の下向き係合片をタイルの表面側上端部と係合させることにより当該第二部材でタイルの上下動や面外方向への動きを阻止する。以下、同様な作業工程を下から上へと繰り返すことで、上記のタイル取付け構造を実現することができる。
【００１９】
このように、タイルは上下の横長支持部材で支持されるため、タイル目地をパネル目地と合致させる必要がない。従って、例えば、集合住宅のバルコニーの内側の二次外壁に大型のタイルをパネルの目地に無関係に張ることができるため、デザインの自由度が高まり、高級化に対応しやすくなる。
【００２０】
タイルの面外方向への固定も第二部材で機械的に行うことができ、接着剤に頼らないので信頼性が高く、接着剤の乾燥期間も不要となるので、工期の短縮も可能である。
【００２１】
さらに、上記のタイル取付け構造によれば、パネルがロッキングしたときも、横長支持部材がパネルに対して相対的に回転することによって水平を保つことができ、タイルの剥落が防止されることになる。しかも、タイル毎に複数個の金属製止着部材を用いたり、タイル裏面に取付金物を取り付けたりする必要がなく、また、第二部材を第一部材に取り付けるビスの間隔を適当に設定することで、第二部材のビス止め作業も少なく済み、容易に施工できる。
【００２２】
請求項２に記載の発明によれば、上述した効果に加え、複数本の縦長支持部材と必要本数の第一部材を先組みしておき、これをパネルに取り付けた後、タイルの嵌め込み、第二部材のビス止め等を行うことができ、パネルに対する取付けボルトの本数も少なくて済み、容易に施工できるという効果がある。また、縦長支持部材をパネル１枚おきに配置する等して、縦長支持部材の使用本数、縦長支持部材をパネルに取り付ける取付けボルトの本数、横長支持部材を縦長支持部材に取り付ける止め具の個数等を減少することができる。
【発明を実施するための最良の形態】
【００２３】
以下、本発明の実施形態を図面に基づいて説明する。図１〜図４は、本発明に係るコンクリート系パネルに対するタイル取付け構造の一例を示す。図中の１は、ＡＬＣ板、押出成形セメント板（ＥＣＰ）、スパンクリート等のコンクリート系パネルであり、建物躯体にロッキング可能な状態に取り付けられている。また、図１〜図４の実施形態においては、コンクリート系パネル１が建物躯体に対して縦張りされている。即ち、コンクリート系パネル１は、横幅Ｗが、例えば、６００ｍｍ程度、上下幅が階高と同じ（例えば、３５００ｍｍ〜４０００ｍｍ程度）に設定された縦長矩形状とされ、長辺間に縦目地ａが形成される状態に取り付けられている。
【００２４】
２はタイルであり、図２に示すように、裏面側に下向きに開口した上部係合用溝３ａと下部係合用溝３ｂとが形成された押出成形が可能な断面形状とされている。尚、タイル２の材質は、一般に使用される釉薬を掛けて焼き上げた陶磁器質や磁器質の他、図２に示すような裏面側に下向きに開口した上部係合用溝３ａと下部係合用溝３ｂとが形成された断面形状であれば、ガラス製、樹脂製又は金属製等であってもよい。
【００２５】
４は横長支持部材であり、第一部材５と第二部材６とから構成されている。第一部材５及び第二部材６は何れもアルミの押出成形品であるが、ステンレス等他の材質であってもよい。
【００２６】
第一部材５は、タイル２の上部係合用溝３ａと横方向スライド自在に係合する上向き係合片７と、タイル２の裏面に圧接する中空スポンジ等のクッション材８を保持する溝状の保持部９と、長手方向複数箇所にビス孔１０が形成された第二部材取付け部１１とを備えており、上向き係合片７と保持部９との間の板部には、コンクリート系パネル１に対する取付け用孔１２が長手方向に間隔を隔てて複数個形成されている。
【００２７】
第二部材６は、タイル２の表面側上端部と横方向スライド自在に係合する下向き係合片１３と、上段のタイル２の下部係合用溝３ｂと横方向スライド自在に係合する上向き係合片１４とを備えており、第一部材５の第二部材取付け部１１にビス１５で取り付けられている。
【００２８】
横長支持部材４は、コンクリート系パネル１の外面に複数本、前記取付け用孔１２に挿入した取付けボルト１６により、タイル２の上下幅に対応する間隔を隔てて、且つ、取付けボルト１６の軸芯周りで回転可能な状態に取り付けられており、各段のタイル２を上下の横長支持部材４で支持させてある。取付けボルト１６としては、図示のように、コンク
リート系パネル１を貫通させ、座金を介してナット１７締めする形式の他、コンクリート系パネル１に穿設した穴内で先端を拡大させて固定する後打ちアンカー形式であってもよい。何れの場合も、図２に示すように、取付けボルト１６の取付け用孔１２を貫通する軸部には、第一部材５における取付け用孔１２周囲の厚みよりも軸長の長い増し締め防止用カラー１８を套嵌して実施することが、コンクリート系パネル１に対する横長支持部材４（第一部材５）の相対的な回転を円滑化する上で、望ましい。１９ａ、１９ｂはワッシャーである。
【００２９】
上述したタイル取付け構造の施工手順について説明すると、先ず、最下段においては、第一部材５とそれにビス止めした第二部材６とから成る横長支持部材４をコンクリート系パネル１に取付けボルト１６で取り付けた後、二段目の所定位置に次の第一部材５を取付けボルト１６で取り付け、当該第一部材５の保持部９にクッション材８を取り付ける。
【００３０】
次に、タイル２を前記第二部材６と二段目の第一部材５との間に嵌め込む。この状態においては、タイル２の下部係合用溝３ｂが前記第二部材６の上向き係合片１４と係合し、タイル２の上部係合用溝３ａが二段目の第一部材５の上向き係合片７と係合し、且つ、クッション材８がタイル２の裏面を外側へ弾性的に押圧しているので、タイル２が仮固定されることになる。
【００３１】
しかる後、二段目の第二部材６を二段目の第一部材５にビス１５で取り付け、当該第二部材６の下向き係合片１３をタイル２の表面側上端部と係合させることにより、当該第二部材６で地震等によるタイル２の上下動や面外方向への動きを阻止する。以下、同様な作業工程を下から上へと繰り返すことで、図示したタイルの取付け構造を実現することができる。
【００３２】
コンクリート系パネル１に対する横長支持部材４の回転軸芯となる取付けボルト１６は、鉛直線上に並べて配置してある。具体的には、第一部材５の取付け用孔１２に挿入される取付けボルト１６は、図３に示すように、コンクリート系パネル１枚あたり１本とし、コンクリート系パネル１の幅方向中央、或いは、中央以外でもパネルの幅と同じ間隔に配置してある。
【００３３】
従って、地震等により、図４に示すように、パネル１がロッキングしたときも、各段の横長支持部材４は水平を保ち且つ上下の変位も少なくてすみ、タイル２を確実に保持できることになる。
【００３４】
上記のタイル取付け構造によれば、タイル２は上下の横長支持部材４で支持されるため、タイル２の目地をパネル１の目地と合致させる必要がない。従って、例えば、集合住宅のバルコニーの内側の二次外壁に大型のタイルをパネル１の目地に無関係に、換言すれば異なるパネル１に跨って、張ることができるため、デザインの自由度が高まり、高級化に対応しやすい。
【００３５】
また、タイル２の面外方向への固定も第二部材６で機械的に行うことができ、接着剤に頼らないので信頼性が高く、接着剤の乾燥期間も不要となるので、工期の短縮も可能である。しかも、特許文献１に記載の従来技術のように、タイル毎に複数個の金属製止着部材を用いたり、特許文献２に記載の従来技術のように、タイル裏面に取付金物を取り付けたりする必要がなく、また、第二部材６を第一部材５に取り付けるビス１５の間隔を適当に設定することで、第二部材６のビス止め作業も少なく済み、容易に施工できる。
【００３６】
図５〜図１０は、本発明の他の実施形態を示す。この実施形態は、コンクリート系パネル１の外面に、複数本の縦長支持部材２０を横方向に間隔を隔てて取り付け、これらの縦
長支持部材２０にタイル２の上下を支持する複数本の横長支持部材４を面内で相対回転可能な状態に架設した点に特徴がある。
【００３７】
縦長支持部材２０は、図６に示すように、両端縁が内側に直角に折れ曲った溝形に形成されており、コンクリート系パネル１に対する取付け用孔２１と、横長支持部材４の第一部材５を回転自在に取り付けるための止め具挿入孔２２とが上下方向に間隔を隔てて複数個形成されている。縦長支持部材２０は、アルミの押出成形品であるが、ステンレス等他の材質であってもよい。
【００３８】
第一部材５は、タイル２の上部係合用溝３ａと横方向スライド自在に係合する上向き係合片７と、タイル２の裏面に圧接する中空スポンジ等のクッション材８を保持する溝状の保持部９と、長手方向複数箇所にビス孔１０が形成された第二部材取付け部１１とを備えており、上向き係合片７と保持部９との間の板部には、縦長支持部材２０に対する取付け用孔２３が長手方向に間隔を隔てて複数個形成されている。
【００３９】
そして、縦長支持部材２０の裏面側から止め具挿入孔２２及び取付け用孔２３に挿入された止め具２４により、第一部材５を縦長支持部材２０にタイル２の上下幅に対応する間隔を隔てて、且つ、止め具２４の軸芯周りで回転可能な状態に架設し、各段のタイル２を上下の横長支持部材４で支持させてある。図示の例では、各段の横長支持部材４を面内で回転自在に支持する止め具２４と縦長支持部材２０をパネル外面に取り付ける取付けボルト１６とが、同一の鉛直線上に配置されているが、取付けボルト１６の配列（鉛直線）と止め具２４の配列（鉛直線）とは横方向にずれていても構わない。
【００４０】
尚、止め具２４としては、頭付きボルト２４ａとそれに螺合するナット２４ｂ及びワッシャー１９ｃ、１９ｄが使用されているが、縦長支持部材２０を両端縁が内側に直角に折れ曲った溝形とすることにより、縦長支持部材２０の裏面とパネル表面との間に隙間を形成して、ボルト頭やそれを支持するワッシャー１９ｄがパネル１外面に対する縦長支持部材２０の取付けの障害にならないように配慮してある。また、図示の例では、縦長支持部材２０に対する横長支持部材４の相対的な回転（第一部材５の止め具２４の軸芯周りでの回転）を円滑に行えるようにするため、止め具２４の周囲に、縦長支持部材２０及び第一部材５の板厚よりも軸張の長い増し締め防止用カラー２５を套嵌してある。
【００４１】
上述したタイル取付け構造によれば、複数本の縦長支持部材２０と必要本数の第一部材５を先組みしておき、これを、図７に示すように、パネル１に取付けボルト１６で取り付けた後、図８に示すように、タイル２の嵌め込み、第二部材６のビス１５止め等を行うことができ、パネル１に対する取付けボルト１６の本数も少なくて済み、容易かつ迅速に施工できる。
【００４２】
縦長支持部材２０は、建物躯体に縦張りされている各コンクリート系パネル１の幅方向中央、或いは、中央以外でもパネルの幅と同じ間隔に配置してもよいが、例えば、パネル１枚おきに縦長支持部材２０を配置する等、縦長支持部材２０の間隔をコンクリート系パネル１の横幅より広くすることによって、縦長支持部材２０の使用本数、縦長支持部材２０をパネル１に取り付ける取付けボルト１６の本数、横長支持部材４の第一部材５を縦長支持部材２０に取り付ける止め具２４の個数等を減少することができる。何れの場合も、パネル１がロッキングしたときには、各段の横長支持部材４が縦長支持部材２０に対し止め具２４の軸芯周りで相対的に回転するので、図９、図１０に示すように、横長支持部材４は水平を保ち、タイル２を確実に保持できることになる。その他の施工手順や作用、タイル２の断面形状、第一部材５及び第二部材６の断面形状や材質等は、図１〜図４の実施形態と同じであるため、同一構成部材に同一符号を付し、説明を省略する。
【００４３】
図１１〜図１４は、本発明の他の実施形態を示す。この実施形態は、図１〜図４で示したタイル取付け構造であって、コンクリート系パネル１が建物躯体に対して横張りされている点に特徴がある。即ち、コンクリート系パネル１は、上下幅が例えば６００ｍｍ程度、横幅Ｗが柱鉄骨２６の間隔に合わせて例えば３５００ｍｍ〜４０００ｍｍ程度に設定された横長矩形状とされ、長辺間に横目地ｂが形成される状態に取り付けられている。２７はシーリング材、２８は縦目地ａ用のクッション材である。その他の施工手順や作用、タイル２の断面形状、第一部材５及び第二部材６の断面形状や材質等は、図１〜図４の実施形態と同じであるため、同一構成部材に同一符号を付し、説明を省略する。
【００４４】
尚、この実施形態においては、パネル横張り工法として、図１２、図１３に示すように、柱鉄骨２６のフランジに溶接したボルト２９ａをコンクリート系パネル１の端部に形成された取付け孔に挿通し、ナット２９ｂでコンクリート系パネル１を締付け固定すると共に、ナット２９ｂ周囲の取付け孔にモルタル３０を充填する所謂ボルト止め工法が採用されている。
【００４５】
図１５〜図１７は、本発明の他の実施形態を示す。この実施形態は、図５〜図１０で示したタイル取付け構造であって、コンクリート系パネル１が建物躯体に対して横張りされている点に特徴がある。即ち、コンクリート系パネル１は、上下幅が例えば６００ｍｍ程度、横幅Ｗが柱鉄骨２６の間隔に合わせて例えば３５００ｍｍ〜４０００ｍｍ程度に設定された横長矩形状とされ、長辺間に横目地ｂが形成される状態に取り付けられている。コンクリート系パネル１の外面には、複数本の縦長支持部材２０が横方向に間隔を隔てて取り付けられており、これらの縦長支持部材２０にタイル２の上下を支持する複数本の横長支持部材４が面内で相対回転可能な状態に架設されている。
【００４６】
上記の構成によれば、複数本の縦長支持部材２０と必要本数の第一部材５を先組みしておき、これを、図１６に示すように、コンクリート系パネル１に取付けボルト１６で取り付けた後、図１７に示すように、タイル２の嵌め込み、第二部材６のビス１５止め等を行うことができ、コンクリート系パネル１に対する取付けボルト１６の本数も少なくて済み、容易かつ迅速に施工できる。
【００４７】
殊に、パネル１表面に縦長支持部材２０を取り付け、これに横長支持部材４を架設して、タイル２を支持させるので、コンクリート系パネル１の横目地ｂ、及び縦目地ａと関係なくタイル２の割付を行うことができる。
【００４８】
また、パネル１表面に縦長支持部材２０を取り付け、これに横長支持部材４を架設して、タイル２を支持させるので、パネル横張り工法として、上述したボルト止め工法の他、カバープレート工法や落とし込み工法を採用できる。即ち、これらの工法では、パネル表面に、カバープレートを固定するためのボルトやパネルを落とし込むＨ型鋼のフランジ等の金物が突出することになるが、これらの金物の突出量よりも厚みのある縦長支持部材２０を使用することによって、横長支持部材４をこれらの金物突出量よりも外側に位置する状態に架設することができる。その他の施工手順や作用、タイル２の断面形状、第一部材５及び第二部材６の断面形状や材質等は、図５〜図１０の実施形態と同じであるため、同一構成部材に同一符号を付し、説明を省略する。
【００４９】
尚、上述した実施形態では、何れも、取付けボルト１６を、コンクリート系パネル１の横幅Ｗの中央、或いは、中央以外でもパネルの幅と同じ間隔に配置したが、取付けボルト１６は、図１８〜図２０に示すように、コンクリート系パネル１が縦張りされる場合と横張りされる場合の如何を問わず、パネル１の縦目地ａから一定距離（例えば、Ｌ１、Ｌ２、Ｌ３、Ｌ４）を隔てた位置に配置すれば足り、中央である必要はない。また、強度的に問題がなければ、図１８、図２０に示すように、パネル１枚おき、又は複数枚おきに取付
けボルト１６を配置してもよい。パネル１が横張りされる場合、横長支持部材４を直接パネル１に取り付ける取付けボルト１６の本数は、パネル１枚につき１本でもよく、図１９に示すように、複数本でもよい。図示しないが、横長支持部材４の第一部材５に形成する取付け用孔１２や縦長支持部材２０に形成する取付け用孔２１をルーズホールとすることは、熱伸縮を吸収する上で有効である。また、図５と図１５に示したタイル取付け構造において、取付けボルト１６を止め具２４に兼用すべく構成することも可能である。即ち、予め、第一部材５と縦長支持部材２０を取付けボルト１６に回転自在に枢着しておき、しかる後、取付けボルト１６をコンクリート系パネル１の貫通孔に挿通してナット止めするように構成してもよい。
【００５０】
以上、本発明の実施形態を説明したが、本発明は上述した実施形態のみに限定されるものではなく、本発明の要旨を逸脱しない範囲で種々の実施形態を採用できることは勿論である。
【図面の簡単な説明】
【００５１】
【図１】本発明の一実施形態を示す要部正面図である。
【図２】図１のＡ−Ａ断面拡大図である。
【図３】この実施形態によるタイル取付け構造の変形対応性を説明する初期状態の模式的な全体図である。
【図４】この実施形態によるタイル取付け構造の変形対応性を説明するパネルがロッキングした状態の模式的な全体図である。
【図５】本発明の他の実施形態を示す要部の縦断側面図である。
【図６】構成部材の説明図である。
【図７】施工手順を説明する斜視図である。
【図８】施工手順を説明する斜視図である。
【図９】この実施形態によるタイル取付け構造の変形対応性を説明する初期状態の模式的な全体図である。
【図１０】この実施形態によるタイル取付け構造の変形対応性を説明するパネルがロッキングした状態の模式的な全体図である。
【図１１】本発明の他の実施形態を示す要部の縦断側面図である。
【図１２】パネル横張り工法の一例であるボルト止め工法を説明図である。
【図１３】パネル横張り工法の一例であるボルト止め工法を説明図である。
【図１４】施工手順を説明する斜視図である。
【図１５】本発明の他の実施形態を示す要部の縦断側面図である。
【図１６】施工手順を説明する斜視図である。
【図１７】施工手順を説明する斜視図である。
【図１８】縦張りされたパネルと横長支持部材の取付けボルトとの配置を例示する概略正面図である。
【図１９】横張りされたパネルと横長支持部材の取付けボルトとの配置を例示する概略正面図である。
【図２０】横張りされたパネルと縦長支持部材の取付けボルトとの配置を例示する概略正面図である。
【符号の説明】
【００５２】
１  コンクリート系パネル
２  タイル
３ａ  上部係合用溝
３ｂ  下部係合用溝
４  横長支持部材
５  第一部材
６  第二部材
７  上向き係合片
８  クッション材
９  保持部
１０  ビス孔
１１  第二部材取付け部
１２  取付け用孔
１３  下向き係合片
１４  上向き係合片
１５  ビス
１６  取付けボルト
１７  ナット
１８  増し締め防止用カラー
１９ａ，１９ｂ，１９ｃ，１９ｄ  ワッシャー
２０  縦長支持部材
２１  取付け用孔
２２  止め具挿入孔
２３  取付け用孔
２４  止め具
２５  増し締め防止用カラー
２６  柱鉄骨
２７  シーリング材
２８  縦目地用のクッション材
２９ａ  ボルト
２９ｂ  ナット
３０  モルタル
Ｗ  パネルの横幅
ａ  パネル間の縦目地
ｂ  パネル間の横目地
Ｌ１，Ｌ２，Ｌ３，Ｌ４  一定距離
【図１】
2009097209.tif 000003
【図２】
2009097209.tif 000004
【図３】
2009097209.tif 000005
【図４】
2009097209.tif 000006
【図５】
2009097209.tif 000007
【図６】
2009097209.tif 000008
【図７】
2009097209.tif 000009
【図８】
2009097209.tif 000010
【図９】
2009097209.tif 000011
【図１０】
2009097209.tif 000012
【図１１】
2009097209.tif 000013
【図１２】
2009097209.tif 000014
【図１３】
2009097209.tif 000015
【図１４】
2009097209.tif 000016
【図１５】
2009097209.tif 000017
【図１６】
2009097209.tif 000018
【図１７】
2009097209.tif 000019
【図１８】
2009097209.tif 000020
【図１９】
2009097209.tif 000021
【図２０】
2009097209.tif 000022